【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】情報送信装置および方法、情報受信装置および方法、並びに記録媒体
【手続補正２】
【補正対象書類名】明細書
【補正対象項目名】特許請求の範囲
【補正方法】変更
【補正の内容】
【特許請求の範囲】
【請求項１】
符号化された画像信号とそれに付随する音声信号を送信する情報送信装置において、
前記画像信号と前記音声信号からなる主信号と、それに対応する付加情報を符号化する符号化手段と、
前記符号化手段が符号化した前記付加情報のエレメンタリストリームと、前記主信号のエレメンタリストリームを多重化してトランスポートストリームを生成する多重化手段と
を備えることを特徴とする情報送信装置。
【請求項２】
前記多重化手段は、前記付加情報が、対応する前記主信号よりも先に送信されるように多重化する
ことを特徴とする請求項１に記載の情報送信装置。
【請求項３】
前記主信号はＣＭの信号であり、前記付加情報は、視聴者が、前記ＣＭにより宣伝される商品に関連するサービスの提供を受けるための情報である
ことを特徴とする請求項２に記載の情報送信装置。
【請求項４】
符号化された画像信号とそれに付随する音声信号を送信する情報送信方法において、
前記画像信号と前記音声信号からなる主信号と、それに対応する付加情報を符号化する符号化ステップと、
前記符号化ステップで符号化した前記付加情報のエレメンタリストリームと、前記主信号のエレメンタリストリームを多重化してトランスポートストリームを生成する多重化ステップと
を含むことを特徴とする情報送信方法。
【請求項５】
符号化された画像信号とそれに付随する音声信号を送信するためのプログラムであって、
前記画像信号と前記音声信号からなる主信号と、それに対応する付加情報を符号化する符号化ステップと、
前記符号化ステップで符号化した前記付加情報のエレメンタリストリームと、前記主信号のエレメンタリストリームを多重化してトランスポートストリームを生成する多重化ステップと
を含む処理を実行させるプログラムが記録されていることを特徴とする記録媒体。
【請求項６】
受信したトランスポートストリームから、画像信号とそれに付随する音声信号からなる主信号のエレメンタリストリームと、前記主信号に対応する付加情報のエレメンタリストリームを分離する分離手段と、
前記分離手段により分離された前記付加情報を記録する記録手段と、
視聴者の操作を受け付ける受付手段と、
前記受付手段により受け付けられた前記視聴者の操作に対応して、前記分離手段により分離された前記主信号、または前記記憶手段に記憶されている付加情報を選択して出力する選択手段と
を備えることを特徴とする情報受信装置。
【請求項７】
受信したトランスポートストリームから、画像信号とそれに付随する音声信号からなる主信号のエレメンタリストリームと、前記主信号に対応する付加情報のエレメンタリストリームを分離する分離ステップと、
前記分離ステップにより分離された前記付加情報を記録する記録ステップと、
視聴者の操作を受け付ける受付ステップと、
前記受付ステップにより受け付けられた前記視聴者の操作に対応して、前記分離ステップにより分離された前記主信号、または前記記憶ステップに記憶されている付加情報を選択して出力する選択ステップと
を含むことを特徴とする情報受信方法。
【請求項８】
受信したトランスポートストリームから、画像信号とそれに付随する音声信号からなる主信号のエレメンタリストリームと、前記主信号に対応する付加情報のエレメンタリストリームを分離する分離ステップと、
前記分離ステップにより分離された前記付加情報を記録する記録ステップと、  視聴者の操作を受け付ける受付ステップと、
前記受付ステップにより受け付けられた前記視聴者の操作に対応して、前記分離ステップにより分離された前記主信号、または前記記憶ステップに記憶されている付加情報を選択して出力する選択ステップと
を含む処理を情報受信装置に実行させるプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報送信装置および方法、情報受信装置および方法、並びに記録媒体に関し、特に、視聴者のインタラクティブな操作に対応したコマーシャルを実現する情報送信装置および方法、情報受信装置および方法、並びに記録媒体に関する。
【手続補正４】
【補正対象書類名】明細書
【補正対象項目名】０００５
【補正方法】変更
【補正の内容】
【０００５】
【課題を解決するための手段】
本発明の情報送信装置は、画像信号と音声信号からなる主信号と、それに対応する付加情報を符号化する符号化手段と、符号化手段が符号化した付加情報のエレメンタリストリームと、主信号のエレメンタリストリームを多重化してトランスポートストリームを生成する多重化手段とを備えることを特徴とする。
【手続補正５】
【補正対象書類名】明細書
【補正対象項目名】０００６
【補正方法】変更
【補正の内容】
【０００６】
本発明の情報送信方法は、画像信号と音声信号からなる主信号と、それに対応する付加情報を符号化する符号化ステップと、符号化ステップで符号化した付加情報のエレメンタリストリームと、主信号のエレメンタリストリームを多重化してトランスポートストリームを生成する多重化ステップとを含むことを特徴とする。
【手続補正６】
【補正対象書類名】明細書
【補正対象項目名】０００７
【補正方法】変更
【補正の内容】
【０００７】
本発明の第１の記録媒体は、画像信号と音声信号からなる主信号と、それに対応する付加情報を符号化する符号化ステップと、符号化ステップで符号化した付加情報のエレメンタリストリームと、主信号のエレメンタリストリームを多重化してトランスポートストリームを生成する多重化ステップとを含む処理を実行させるプログラムが記録されていることを特徴とする。
【手続補正７】
【補正対象書類名】明細書
【補正対象項目名】０００８
【補正方法】変更
【補正の内容】
【０００８】
本発明の情報受信装置は、受信したトランスポートストリームから、画像信号とそれに付随する音声信号からなる主信号のエレメンタリストリームと、前記主信号に対応する付加情報のエレメンタリストリームを分離する分離手段と、分離手段により分離された付加情報を記録する記録手段と、視聴者の操作を受け付ける受付手段と、受付手段により受け付けられた視聴者の操作に対応して、分離手段により分離された主信号、または記憶手段に記憶されている付加情報を選択して出力する選択手段とを備えることを特徴とする。
【手続補正８】
【補正対象書類名】明細書
【補正対象項目名】０００９
【補正方法】変更
【補正の内容】
【０００９】
本発明の情報受信方法は、受信したトランスポートストリームから、画像信号とそれに付随する音声信号からなる主信号のエレメンタリストリームと、主信号に対応する付加情報のエレメンタリストリームを分離する分離ステップと、分離ステップにより分離された付加情報を記録する記録ステップと、視聴者の操作を受け付ける受付ステップと、受付ステップにより受け付けられた視聴者の操作に対応して、分離ステップにより分離された主信号、または記憶ステップに記憶されている付加情報を選択して出力する選択ステップとを含むことを特徴とする。
【手続補正９】
【補正対象書類名】明細書
【補正対象項目名】００１０
【補正方法】変更
【補正の内容】
【００１０】
本発明の第２の記録媒体は、受信したトランスポートストリームから、画像信号とそれに付随する音声信号からなる主信号のエレメンタリストリームと、主信号に対応する付加情報のエレメンタリストリームを分離する分離ステップと、分離ステップにより分離された付加情報を記録する記録ステップと、視聴者の操作を受け付ける受付ステップと、受付ステップにより受け付けられた視聴者の操作に対応して、分離ステップにより分離された主信号、または記憶ステップに記憶されている付加情報を選択して出力する選択ステップとを含む処理を情報受信装置に実行させるプログラムが記録されていることを特徴とする。
【手続補正１０】
【補正対象書類名】明細書
【補正対象項目名】００１１
【補正方法】変更
【補正の内容】
【００１１】
本発明の情報送信装置および方法、並びに第１の記録媒体のプログラムにおいては、画像信号と音声信号からなる主信号と、それに対応する付加情報が符号化され、符号化された付加情報のエレメンタリストリームと、主信号のエレメンタリストリームが多重化されてトランスポートストリームが生成される。
【手続補正１１】
【補正対象書類名】明細書
【補正対象項目名】００１２
【補正方法】変更
【補正の内容】
【００１２】
本発明の情報受信装置および方法、並びに第２の記録媒体のプログラムにおいては、受信したトランスポートストリームから、画像信号とそれに付随する音声信号からなる主信号のエレメンタリストリームと、主信号に対応する付加情報のエレメンタリストリームが分離され、分離された付加情報が記録される。また、視聴者の操作が受け付けられ、受け付けられた視聴者の操作に対応して、分離された主信号、または記憶されている付加情報が選択されて出力される。
【手続補正１２】
【補正対象書類名】明細書
【補正対象項目名】００５２
【補正方法】変更
【補正の内容】
【００５２】
【発明の効果】
以上のように、第１の本発明によれば、付加情報と主信号が多重化されてトランスポートストリームが生成されようにし、第２の本発明によれば、受信されたトランスポートストリームから付加情報が分離されて記憶され、視聴者の操作に対応して読み出されるようにしたので、視聴者のインタラクティブな操作に対応して付加情報を表示させることが可能となる。